(57)【要約】【課題】  複数の属性に対応したチャプタ区分が可能で、区分されたチャプタに対して、特定属性を指定して、指定属性に属するチャプタを明示できるようにする。【解決手段】  上記課題を解決するために、例えば、番組データを記録し、該記録された該番組データから複数の属性情報に対応したチャプタデータを抽出し、該抽出された該複数のチャプタデータが該記録された番組データの中で時間的にどの位置に該当するかを示す表示領域を表示し、該複数の属性情報の中から所望の属性情報を選択するし、該表示領域を表示する場合に、該表示領域において該選択された該属性情報に対応するチャプタデータが該記録された番組データの中で時間的にどの位置に該当するかを示すよう制御するようにすればよい。【選択図】図６
2007142785.tif 000002
【特許請求の範囲】
【請求項１】
番組データを記録する番組記録部と、
該番組記録部により記録された該番組データから複数の属性情報に対応したチャプタデータを抽出する抽出部と、
該抽出部により抽出された該複数のチャプタデータが該記録された番組データの中で時間的にどの位置に該当するかを示す表示領域を表示する表示部と、
該複数の属性情報の中から所望の属性情報を選択する属性選択部と、
該表示部に該表示領域を表示する場合に、該表示領域において、該属性選択部により選択された該属性情報に対応するチャプタデータが該記録された番組データの中で時間的にどの位置に該当するかを示すよう制御する制御部とを備えることを特徴とする記録再生装置。
【請求項２】
請求項１記載の記録再生装置において、
前記複数の属性情報が、少なくともＣＭ及びハイライトに関する情報であり、
前記制御部は、前記番組データに含まれるＣＭシーン及び前記番組データに含まれ所定の基準でハイライトシーンを前記抽出部により抽出するよう制御することを特徴とする記録再生装置。  
【請求項３】
請求項２記載の記録再生装置において、
前記制御部は、前記ハイライトシーンを前記抽出部により抽出する場合に、前記番組データ内のシーンの変化又は音声変化に基づいて抽出するよう制御することを特徴とする記録再生装置。
【請求項４】
請求項１記載の記録再生装置において、
前記制御部は、前記属性選択部により複数の属性情報の中から所望の属性情報を選択するための画面を前記表示部に表示するよう制御することを特徴とする記録再生装置。
【請求項５】
請求項１に記載の記録再生装置において、
前記制御部は、前記番組データを前記記録部に記録する際に、前記抽出部によるチャプタデータの抽出処理を行うよう制御することを特徴とする記録再生装置。
【請求項６】
請求項１記載の記録再生装置において、
前記属性情報を前記番組データとともに受信する受信手段を備えることを特徴とする記録再生装置。
【請求項７】
請求項１記載の記録再生装置において、
前記制御部は、前記表示部に前記表示領域を表示する場合に、前記属性選択部により指示された該属性情報に対応するチャプタデータが該記録された番組データの中で時間的にどの位置に該当するか、あるいは、前記複数の属性情報全てに対応するチャプタデータが該記録された番組データの中で時間的にどの位置に該当するかを選択させ、該選択に応じて該表示領域の表示を変化させるよう制御することを特徴とする記録再生装置。
【請求項８】
請求項１記載の記録再生装置において、
前記制御部は、前記属性選択部により指示された該属性情報に対応するチャプタデータが前記記録された番組データの中で時間的にどの位置に該当するかを示す表示が前記表示領域における他の表示と比べて強調して表示するよう制御することを特徴とする記録再生装置。
【請求項９】
複数の属性情報に対応したデータを含む映像情報を入力する入力部と、
該入力部からの該映像情報を記録する記録部と、
該映像情報から複数の属性情報を検出する属性検出部と、
該記録部により記録された該映像情報を再生する再生部と、
該再生部により該映像情報を再生する場合に、該映像情報の再生の進行程度を表示するための表示領域と該複数の属性情報を選択するための表示領域とを同一画面上に表示するよう制御する制御部とを備えることを特徴とする記録再生装置。
【請求項１０】
請求項９記載の記録再生装置において、
前記属性検出部により検出された前記複数の属性情報を用いて前記映像情報を複数の領域に分割する映像領域分割部を備え、
前記制御部は、前記複数の属性情報を選択するための表示領域を介して選択された一の属性情報を用いて前記映像領域分割部により分割し、
前記映像情報の再生の進行度を表示するための表示領域において該分割された映像情報が再生される該当箇所を強調表示するよう制御することを特徴とする記録再生装置。
【請求項１１】
請求項１０記載の記録再生装置において、
前記制御部は、前記強調表示する形態として、前記分割された映像情報が再生される該当箇所の表示を前記映像情報の再生の進行度を表示するための表示領域に表示される他の表示の色または形状と異ならせて表示することを特徴とする記録再生装置。
【発明の詳細な説明】
【技術分野】
【０００１】
動画を記録して再生する記録再生装置に関する。
【背景技術】
【０００２】
商用放送では、通常、番組の途中にコマーシャル（以下、「ＣＭ」と省略する）が含まれている。そこで、記録（録画）時、ＣＭ部と番組の内容部分（以下、「本編部」と称する）との境界を検出し、この境界で本編部とＣＭ部とを区分し、時間的に区分された各部分を一つのチャプタとして記録している。この種の技術は、例えば特許文献１、２に記載されている。
【０００３】
特に、特許文献２では、その図３，図１０に示すように、時間的順序で配列された各チャプタを代表するサムネイルに対して、選択された該当属性に属する複数のチャプタの各サムネイルに色のついた枠あるいはマークを付し、該当属性のチャプタであることを明示している。
【０００４】
また、番組内で盛り上がりのあるシーン（以下、「ハイライト」と称する）を、ＢＧＭ（Background  Music）音声の変化を利用して検出し、チャプタとして区分する技術が例えば特許文献３に記載されている。
【０００５】
【特許文献１】特開２００５−６４９１４号公報
【特許文献２】特開２００５−１４２８５３号公報
【特許文献３】特開２００４−１４０６７５号公報
【発明の開示】
【発明が解決しようとする課題】
【０００６】
上記特許文献に開示された記録再生装置では、番組を記録する際、あるいは記録した番組を編集する際、番組を構成する映像/音声が有する特長（以下、「属性」と称する）を用いて、該属性を有する複数の番組部分を抽出し、複数の該番組部分を境界として、番組を複数の部分に分割している。一般に、分割された各部分をチャプタと称する。なお、前記属性を有する一つの番組部分も一つのチャプタである。例えば、特許文献１，２では、ＣＭ部を検出し、ＣＭ部を境界として、番組を本編部のチャプタとＣＭ部のチャプタとに区分している。
【０００７】
しかしながら、上記した特許文献では、属性を用いて番組を複数のチャプタに区分し、再生あるいは編集時、該属性を有する複数のチャプタをスキップする、あるいは該属性を有する複数のチャプタを再生/編集することは開示されているが、操作性の点で不便である。
【０００８】
例えば、録画された映像／音声データのチャプタ表示において、複数の属性をその属性ごとに表示を変えると、そのそれぞれのチャプタがどの属性であるかは分かるものの、複数の属性を表示させるために表示形態の混雑感は否めない。
【０００９】
すなわち、上記特許文献いずれにおいても、複数の属性で区分されたチャプタの内、湯ユーザがある特定の属性を指定する場合の処理についてはなんら言及されておらず、指定された属性に属するチャプタを表示させる方法が具体的に開示されていない。
【００１０】
また、携帯電話等の表示画面が限定されている場合では、その表示形態はすっきりしたいというニーズもある。
【００１１】
従って、ユーザの使い勝手を向上させるためには、より具体的な使用シーンを想定する必要がある。
【００１２】
そこで、本発明では、使い勝手のよい記録再生装置を提供することを目的とする。
【課題を解決するための手段】
【００１３】
上記課題を解決するために、例えば、複数の属性に対応したチャプタ区分が可能で、区分されたチャプタに対して、ユーザにより指定された特定属性に属するチャプタを抽出して当該チャプタが番組全体の時間的に見てどこに該当する明示できるようにする。
【００１４】
より具体的には、例えば、請求項１記載のように、番組データを記録する番組記録部と、該番組記録部により記録された該番組データから複数の属性情報に対応したチャプタデータを抽出する抽出部と、該抽出部により抽出された該複数のチャプタデータが該記録された番組データの中で時間的にどの位置に該当するかを示す表示領域を表示する表示部と、該複数の属性情報の中から一の属性情報を選択する属性選択部と、該表示部に該表示領域を表示する場合に、該表示領域において、該属性選択部により選択された該属性情報に対応するチャプタデータが該記録された番組データの中で時間的にどの位置に該当するかを示すよう制御する制御部を備えるように構成する。
【００１５】
このように構成すれば、ユーザは、所望の属性情報を選択でき、表示画面も見やすいものとなり使い勝手がよい。
【００１６】
また、所望の属性情報のみならず、その他の属性情報全てに対応したチャプタデータが番組全体のどこにあるかを表示したいという場合もある。例えば、後述する実施例のように、属性情報がCM属性とハイライト属性であった場合にCMシーンとハイライトシーン双方が番組中どこに該当するかを把握したいという場面もありうる。この場合、ユーザ所望の属性情報に対応した表示と属性情報全てに対応した表示のいずれかを選択できるようにすると、表示画面が見づらくなるとユーザが感じれば表示を変更できるなど、さらに使い勝手は向上する。なお、実施例においては、属性情報としてCM属性やハイライト属性といったものを想定するが、これに限定されるものではない。
【００１７】
例えば、番組中において好みのもしくは所定のタレントが出演している場面、あるいは、歌番組中のトークの場面又は歌っている場面などを指定できるような属性情報でもよい。
【００１８】
チャプタ抽出方法としては、例えば、前後の画像データにおける内積演算やユークリッドノルム演算等で所定値を超えれば別シーンとするシーン変化点抽出方法や音声量極大点及びその近傍を抽出する方法などを利用して抽出するようにすればよく、実施例に限定するものではない。
【００１９】
また、属性情報は記録された番組データから抽出検出するようにしてもよいが、放送またはインターネット経由等で番組データとともに、あるいは、別に取得する取得部を設けるようにしても良い。このように、別途属性情報を入手できれば、属性情報の抽出処理に要する処理工程を省略できるメリットがある。
【００２０】
また、再生の時間的な進行具合を表示するための表示インジケータと前述した所望の属性情報を同一画面上で選択できるようにすれば、ユーザはわざわざ別操作で表示画面を切り換えることがない。すなわち、ユーザにより所望の属性情報が選択されるとすぐにユーザは同一画面上でその属性情報に対応したチャプタデータが表示インジケータのどこに該当するかを把握することができるため使い勝手が良い。
【００２１】
また、ユーザが選択する所望の属性情報に応じてインジケータの表示を変更したり、その属性情報の対応した該当箇所の表示形態を強調表示、例えば、該当箇所を赤色等の強色で表示したり、該当箇所の形状を拡大縮小又は変形などして、そこに属性情報に対応するチャプタデータがあるということを明確に明示できるようにすれば、ユーザは表示インジケータのどこにその該当箇所があるかを直感的に認識することができ、使い勝手は向上する。
【００２２】
なお、表示インジケータとして、後述する実施例では棒状の形状を想定したが、これに限定するものではなく、例えば、時間を表示する文字列が目盛状に配置されているものや、円や六角形等の多角形状などを利用してユーザに提示してもよい。
【００２３】
また、表示インジケータに所定のカーソルを設けて、ユーザの操作キーによる操作によってその再生箇所を自由に変更できるようにする。この場合に、所望の属性情報を選択すればすぐにその所望の属性情報に対応するチャプタデータの再生を行うよう制御すれば、その使い勝手は更に向上する。
【発明の効果】
【００２４】
本発明によれば、使い勝手のよい記録再生装置を提供できる。
【発明を実施するための最良の形態】
【００２５】
以下に、本発明の実施形態について図面を参照しながら説明する。なお、各図において、共通な機能を有する要素には同一な符号を付して示し、一度説明したものについては、その重複する説明を省略する。また、記録（録画）については、チューナ部で受信した商用放送の番組を記録（録画）するものとして説明するが、本発明はこれに限定されるものではなく、図示しない外部入力の映像信号を記録（録画）する場合にも、適用できることはいうまでもない。
【実施例１】
【００２６】
図１は実施例１による記録再生装置の一ブロック構成図である。本実施例の記録再生装置は、例えば、ＨＤＤ/ＤＶＤレコーダ、およびそれを内蔵する録画機能付テレビ、携帯電話等の携帯端末、ＰＣ（Personal Computer）などに適用可能である。
【００２７】
図１において、動画像制御部１０１は、ＣＰＵ（Central Processing Unit）を含む演算制御装置で、操作入力部１２０からのユーザによる操作入力を受けて、内蔵するＲＯＭ（図示せず）に書き込まれたプログラムに基づいて、内蔵する図示しないＲＡＭ（Random  Access  Memory）をワークエリアとして用いながら、必要に応じて記録再生装置を構成する各構成要素をバスライン１１９を介して制御して、所定の処理を行う。
【００２８】
例えば、動画像制御部１０１は、放送受信制御手段であるチューナ部１０２で受信した商用放送（ＴＶ，ＢＳ，ＣＳ放送など）の所望番組の動画像を、表示出力制御部１０３を介して表示装置１０４に出力する。
【００２９】
また、後述する動画像記録制御部１０５，動画像再生制御部１０８を制御して、動画像の記録，再生を行う。また、後述するシーンチェンジ検出部１１５で検出されたシーンチェンジに基づいて、動画像データに係わる管理情報（詳細は後述）を生成する。なお、表示装置１０４としては、外部のディスプレイを用いてもよい。
【００３０】
動画像記録制御部１０５は、動画像制御部１０１の制御の下で、データ入出力制御部１０６を介して、チューナ部１０２で受信した放送の動画像データをデータ記録再生手段１０７に記録する。このとき、動画像記録制御部１０５は、必要に応じて動画像圧縮（例えばＭＰＥＧ圧縮）などの符号化（エンコード）を行う。また、データ記録再生手段１０７の記録フォーマットに合うようにフォーマット変換を行う。また、動画像制御部１０１からの問い合わせに応じて、現在録画位置情報を返信する。また、動画像制御部１０１からの後述する管理情報を受けて、データ記録再生手段１０７に記録する。
【００３１】
データ入出力制御部１０６は、動画像制御部１０１の制御の下で、動画像記録制御部１０５からの動画像データおよび後述する管理情報を内蔵する図示しないメモリでバッファリングしながらデータ記録再生手段１０７に導く。また、データ記録再生手段１０７から読み出された動画像データと後述する管理情報をバッファリングしながら後述する動画像再生制御部１０８に導く。
【００３２】
動画像データおよび後述する管理情報を記録するとともに、その再生を行うデータ記録再生手段１０７は、本実施例では、記録媒体としてハードディスクを用いたハードディスクドライブ（以下、「ＨＤＤ」と省略），そのＨＤＤコントローラ（図示せず）などを含み、以下、便宜上ＨＤＤ部と称する。
【００３３】
しかし、これに限定されるものではなく、例えば記録媒体として光ディスク（ＣＤ−Ｒ，ＣＤ−ＲＷ，ＤＶＤ−ＲＡＭ，ＤＶＤ±Ｒ,ＤＶＤ±ＲＷなど）を用いた光学ドライブおよびそのコントローラなどで構成されてもよい。
【００３４】
ＨＤＤ部１０７には、動画像データ１１１と動画像データ１１１に関する再生制御情報１１２が対応付けられて、管理情報として記録される。
【００３５】
図２は、本実施例による動画像データ１１１と再生制御情報１１２（詳細は後述）を対応付けて記録するための管理情報の一例を示している。図２に示すように、動画像制御部１０１は、動画像データ１１１および動画像データ１１１に対応する再生制御情報１１２に、例えばタイトルという記録単位ごとにタイトルＩＤを付加して管理情報２０１として管理し、動画像記録制御部１０５を介してＨＤＤ部１０７に記録する。
【００３６】
動画像データ１１１および再生制御情報１１２は、ＨＤＤ部１０７において、１タイトルにつき１ファイルを作成して記録してもよいし、またはすべてのタイトルを１つのファイルとして記録してもよい。
【００３７】
すべてを１つのファイルとして記録する場合、各タイトルに対応するファイルの開始位置と終了位置を記憶することにより、各タイトルへのアクセスが可能である。ここでは、図２に示すように、１タイトルにつき１ファイルを作成して記録するものとする。
【００３８】
動画像再生制御部１０８は、動画像制御部１０１の制御の下で、データ入出力制御部１０６を介してＨＤＤ部１０７に記録された動画像データ１１１および管理情報２０１を読み出し、再生を行う。動画像再生制御部１０８は、動画像データ１１１が符号化（例えばＭＰＥＧ圧縮）されている場合には復号化（デコード）を行う。
【００３９】
また、ＨＤＤ部１０７の再生の際には、チューナ部１０２で受信した放送と切り替えて、動画像再生制御部１０８で再生された動画像を、表示画面生成部１１０を介して表示出力制御部１０３に送り、表示装置１０４に出力する。
【００４０】
また、管理情報２０１については、動画像制御部１０１にバスライン１１９を介して送出する。動画像制御部１０１は、管理情報２０１を受けると、現在選択されているタイトルの動画像データに対応した再生制御情報１１２を管理情報２０１から抽出し、表示画面生成部１１０に送出する。表示画面生成部１１０はこれを受けて、所定のＧＵＩ（Graphic User Interface）画面を生成し、表示出力制御部１０３を介して表示装置１０４に表示する。
【００４１】
表示画面生成部１１０は、動画像制御部１０１の制御の下で、メニュー画面などのＧＵＩ（Graphic User Interface）を生成する。動画像制御部１０１は、表示画面生成部１１０で生成したＧＵＩ画面を、表示出力制御部１０３を介して表示装置１０４に出力する。表示画面生成部１１０は、必要に応じて動画像再生制御部１０８から出力される動画像を取り込んでＧＵＩを作成する。
【００４２】
また、操作入力部１２０は、ユーザからの操作を受け付けるための遠隔操作を行うための図示しない赤外線リモートコントローラ（以下、「リモコン」と省略する），リモコンからの赤外線信号を受光して電気信号に変換する赤外線受光部（図示せず）や、記録再生装置の筐体前面に設けられた操作ボタン（図示せず）などを含み、ユーザからの操作を受け付ける。そして、ユーザ操作入力は動画像制御部１０１に出力され、動画像制御部１０１はユーザ操作入力に応じた所定の処理を行う。
【００４３】
図１０は、本実施例に係わる操作入力部１２０を構成するリモコンの主要な一キー構成図である。図１０において、リモコン１２１上には、ＧＵＩ画面上でカーソルを上下左右に移動させる方向ボタン１２２、例えば方向ボタン１２２で設定されたカーソル位置を決定する決定ボタン１２３、メニュー画面を表示させるメニューボタン１３０、後述するＣＭ属性を選択するＣＭ属性ボタン１３３、後述するハイライト属性を選択するハイライト属性ボタン１３４、ＣＭ属性とハイライト属性の両方の属性を選択する両属性ボタン１３５などが配置されている。
【００４４】
また、例えばＨＤＤ部１０７の停止を指示するストップボタン１２４、再生を指示する再生ボタン１２５、記録（録画）を指示する記録ボタン１２６、一時停止を指示するポーズボタン１２７、早戻しを指示する早戻しボタン１２８、早送りを指示する早送りボタン１２９、戻し方向へのスキップを指示するスキップボタン１３１、順方向へのスキップを指示するスキップボタン１３２なども配置されている。この他にも図示されてないがパワーオン，オフを指示するパワーボタンなども配置されている。
【００４５】
図１に戻って、シーンチェンジ検出部１１５は、動画像制御部１０１の制御の下で、チューナ部１０２からの動画像データの記録（録画）の際、動画像データ１１１のシーンチェンジを検出する。本実施例によるシーンチェンジ検出部１１５は、複数の属性に基づいたシーンチェンジを検出する。
【００４６】
ここでは、本編部とＣＭ部のシーンチェンジを検出する機能（ＣＭ検出機能）と、例えば特許文献４に記載のハイライトシーンを検出する機能（ハイライト検出機能）を有するものとする。
【００４７】
シーンチェンジ検出部１１５は、シーンチェンジを検出すると、シーンチェンジ検出情報とその検出属性とをバスライン１１９を介して動画像制御部１０１に送出する。
【００４８】
例えば、ＣＭ検出機能が動作した場合にはシーンチェンジの検出属性としてＣＭ属性を出力し、ハイライト検出機能が動作した場合にはシーンチェンジの検出属性としてハイライト属性を出力する。
【００４９】
なお、各検出機能は、開始のシーンチェンジと終了のシーンチェンジでシーンチェンジ情報を送出する。動画像制御部１０１は、これを受けて、動画像記録制御部１０５に、現在録画位置情報を問い合わせ、動画像記録制御部１０５から戻ってきた現在録画位置情報をシーンチェンジが生じたシーンチェンジ位置情報とする。
【００５０】
そして、シーンチェンジが生じる毎に、図示しないＲＡＭに、現在録画しているタイトルＩＤに対応させて、シーンチェンジ位置情報と、その属性と、生じたシーンチェンジで分割されたチャプタ番号で構成された再生制御情報１１２を、一時的に格納する。
【００５１】
動画像制御部１０１は、記録（録画）が終了すると、ＲＡＭに格納されたタイトルＩＤと再生制御情報とを管理情報として動画像記録制御部１０５に送出し、動画像記録制御部１０５はこれを受けて、ＨＤＤ部１０７に記録する。
【００５２】
次に、シーンチェンジで区分された動画像データの構成について図３を用いて説明する。
【００５３】
図３は、ＨＤＤ部１０７に記録する１タイトル分の動画像データ１１１の構成を模式的に示した図で、図４は再生制御情報１１２の一実施例である。
【００５４】
図３において、シーンチェンジ検出部１１５によって所定属性のシーンチェンジが検出されると、該シーンチェンジに対応して例えば図示の如くシーンチェンジ位置３０７〜３１８が設定される。シーンチェンジ位置３０７〜３１８は、例えば動画像データ１１１の左端（タイトルの先頭）を動画像データの開始点、右端を終了点として設定される。そして、シーンチェンジが生じる毎にチャプタが設定される。
【００５５】
具体的に述べると、動画像制御部１０１は、動画像データ１１１をＨＤＤ部１０７に記録する際、シーンチェンジ検出部１１５でシーンチェンジを検出する毎に動画像記録制御部１０５から記録中の位置を取得し、シーンチェンジ位置として図示しないＲＡＭに格納する。
【００５６】
シーンチェンジが生じたシーンチェンジ位置は、例えば先頭からの記録したフレーム数などで取得する。動画像制御部１０１は、動画像データの記録（録画）が終了すると、取得したシーンチェンジ位置情報を、動画像記録制御部１０５を介して、記録した動画像データに対応させた再生制御情報１１２としてＨＤＤ部１０７に記録する。
【００５７】
この時、動画像制御部１０１は、１つのシーンチェンジ位置から次のシーンチェンジ位置までを１チャプタとして管理する。
【００５８】
例えば、図３のように、シーンチェンジ位置３０７〜３１８を検出した場合、動画像制御部１０１は、動画像データ１１１のタイトルの先頭でチャプタ１（以下、チャプタ番号を示す場合は、チャプタを「ＣＰ」と省略する）とし、シーンチェンジ位置３０７のシーンチェンジで以降のチャプタをＣＰ２とし、次のシーンチェンジ位置３０８のシーンチェンジで以降のチャプタをＣＰ３と、次々にシーンチェンジ位置を境界として、動画像データをチャプタで区分する。
【００５９】
すなわち、動画像データ１１１のタイトルの先頭からシーンチェンジ位置３０７までをＣＰ１、シーンチェンジ位置３０７からシーンチェンジ位置３０８までをＣＰ２というように、ＣＰ１からＣＰ１３までを管理する。
【００６０】
なお、図３において、符号３０１，３０２，３０３，３０４，３０５，３０６は、それぞれＣＰ２，ＣＰ４，ＣＰ６，ＣＰ８，ＣＰ１０，ＣＰ１２の各チャプタの動画像を代表的に一つの画像で示したもので、以下、便宜上この各チャプタの動画像全体をシーンと称するものとする。
【００６１】
また、各シーンチェンジには、図４に示されるように、シーンチェンジの位置情報とともに、シーンチェンジ検出部１１５の検出属性（例えばＣＭ属性、ハイライト属性）が付随する。
【００６２】
すなわち、動画像制御部１０１は、シーンチェンジ検出部１１５がＣＭであると検出したシーンチェンジつまりチャプタには、再生制御情報１１２にチャプタ属性をＣＭとして記憶する。例えば、図３において、シーンチェンジ位置３０９，３１０をシーンチェンジ検出部１１５のＣＭ検出機能で検出した場合、つまりシーンチェンジ位置３０９とシーンチェンジ位置３１０との間のシーン３０２をＣＭと検出した場合には、シーンチェンジ位置３０９とシーンチェンジ位置３１０との間のＣＰ４のチャプタ属性をＣＭとして記憶する。
【００６３】
なお、図３では符号ＣでＣＭ属性を示している。同様に、シーン３０４，３０６をＣＭと検出した場合には、ＣＰ８およびＣＰ１２のチャプタ属性をＣＭとして記録する。
【００６４】
また、動画像制御部１０１は、シーンチェンジ検出部１１５がハイライトであると検出したチャプタには、再生制御情報１１２にチャプタ属性をハイライトとして記憶する。
【００６５】
例えば、図３において、シーンチェンジ位置３０７，３０８をシーンチェンジ検出部１１５のハイライト検出機能で検出した場合、つまりシーン３０１をハイライトと検出した場合には、シーンチェンジ位置３０７とシーンチェンジ位置３０８との間のＣＰ２のチャプタ属性をハイライトとして記録する。なお、図３では符号Ｈでハイライト属性を示している。同様に、シーン３０３，３０５をハイライトと検出した場合には、ＣＰ６およびＣＰ１０のチャプタ属性をハイライトとして記録する。
【００６６】
以上述べたように、本実施例による再生制御情報１１２は、図４に示すように、シーンチェンジ位置情報と、隣り合うシーンチェンジ位置で区切られたチャプタ情報と、該チャプタの属性情報とを少なくとも含む。再生制御情報１１２に含まれるその他の情報としては、図示しないが例えば後述する部分削除情報などがある。部分削除が設定された区間では、スキップされて、その部分は再生されない。
【００６７】
次に、動画像制御部１０１による記録（録画）時のシーンチェンジ検出処理について、図１８のフロー図を用いて説明する。
【００６８】
ユーザ操作によって、例えばＴＶ番組の記録（録画）が指示されると、動画像制御部１０１は、動画像記録制御部１０５を介してＨＤＤ部１０７にＴＶ番組を記録（録画）させるとともに、シーンチェンジ検出処理を開始する。
【００６９】
動画像制御部１０１は、記録（録画）を開始すると、ステップ（以下、ステップを「Ｓ」と省略する）１８０１で、記録（録画）する該当番組にタイトルＩＤを付与し、チャプタ番号を１として、図示しないワーク用のＲＡＭに格納する。Ｓ１８０２で、シーンチェンジ検出部１１５からシーンチェンジ情報とその検出属性を受信すると、Ｓ１８０３でその属性がＣＭであるかチェックする。属性がＣＭであればＳ１８０４に行き、ＣＭの開始か否かを判定する。
【００７０】
Ｓ１８０４で、１回目のＣＭ属性受信であればＣＭ開始と判定する。Ｓ１８０４でＣＭ開始であれば、Ｓ１８０５で動画像記録制御部１０５から現在再生位置情報を取得する。そして、現在チャプタ番号に＋１したチャプタ番号を、該現在再生位置以降のチャプタ番号として付与し、該現在再生位置と該チャプタ番号と検出属性とを対応させて、図示しないＲＡＭに格納する。そしてＳ１８２０に行く。
【００７１】
Ｓ１８０４で、２回目のＣＭ属性受信であれば、ＣＭ終了のシーンチェンジを検出したものと見なせるので、ＣＭ終了として、Ｓ１８０６に行く。Ｓ１８０６では、動画像記録制御部１０５から現在再生位置情報を取得する。そして、現在チャプタ番号に＋１したチャプタ番号を、該現在再生位置以降のチャプタ番号として付与し、該現在再生位置と該チャプタ番号とを対応させて、図示しないＲＡＭに格納する。そしてＳ１８２０に行く。なお、Ｓ１８０４〜Ｓ１８０６の処理により、ＣＭの開始から終了までの区間が一つのチャプタとして区分され、そのチャプタ属性がＣＭ属性となる。
【００７２】
Ｓ１８０３で属性がＣＭでなければ、Ｓ１８１０に行き、ハイライト属性かチェックする。ハイライト属性であればＳ１８１１に行き、ハイライトの開始か否かを判定する。
【００７３】
Ｓ１８１１で、１回目のハイライト属性受信であればハイライト開始と判定する。Ｓ１８１１でハイライト開始であれば、Ｓ１８１２で動画像記録制御部１０５から現在再生位置情報を取得する。そして、現在チャプタ番号に＋１したチャプタ番号を、該現在再生位置以降のチャプタ番号として付与し、該現在再生位置と該チャプタ番号と検出属性とを対応させて、図示しないＲＡＭに格納する。そしてＳ１８２０に行く。
【００７４】
Ｓ１８１１で、２回目のハイライト属性受信であれば、ハイライト終了のシーンチェンジを検出したものと見なせるので、ハイライト終了として、Ｓ１８１３に行く。Ｓ１８１３では、動画像記録制御部１０５から現在再生位置情報を取得する。
【００７５】
そして、現在チャプタ番号に＋１したチャプタ番号を、該現在再生位置以降のチャプタ番号として付与し、該現在再生位置と該チャプタ番号とを対応させて、図示しないＲＡＭに格納する。そしてＳ１８２０に行く。なお、Ｓ１８１１〜Ｓ１８１３の処理により、ハイライトの開始から終了までの区間が一つのチャプタとして区分され、そのチャプタ属性がハイライト属性となる。
【００７６】
Ｓ１８２０では、動画像制御部１０１は番組記録（録画）が終了したかチェックする。Ｎｏ.であればＳ１８０２に戻って、継続して処理を行う。また、Ｙｅｓ.であればＳ１８２１に行く。Ｓ１８２１に行くと、動画像制御部１０１は、図示しないＲＡＭに格納したシーチェンジ位置と該シーチェンジ位置に対応したチャプタ番号と該シーチェンジ位置に対応した属性とを、付与したタイトルＩＤに対応した再生制御情報として、動画像記録制御部１０５を介してＨＤＤ部１０７に記録する。
【００７７】
以上のようにして、図４に示すような再生制御情報を取得することができる。
【００７８】
次に図５〜図８を用いて、本実施例による記録再生装置における一表示画面について説明する。図５は本実施例によるＨＤＤ部に記録された動画像データのタイトルの一覧表示画面、図６はメニュー表示で「部分削除」を選択した場合の本実施例による操作画面、図７，図８は図６で別のチャプタ属性を選択した場合の操作画面である。図５〜図８の画面は、いずれも表示画面生成部１１０で生成し、表示出力制御部１０３を介して表示装置１０４に出力する画面である。
【００７９】
まず、図５から説明する。図５において、ＨＤＤ部１０７に記録された複数のタイトルを一覧表示する場合、動画像制御部１０１は、サムネイル表示部５０１に、各タイトルを代表する一部のシーンを静止画で表示するサムネイル画像を表示する。サムネイル画像５０２の枠が太くなっているのは、現在サムネイル画像５０２で代表されるタイトルが選択されていることを示している。タイトルの選択は操作入力部１２０の例えばリモコン１２１の方向ボタン１２２などで変更する。
【００８０】
また、タイトル一覧表示画面には、メニューボタン表示５０３が配置されており、例えばリモコン１２１のメニューボタン１３０が操作されると、これを受けて動画像制御部１０１は、メニュー表示５０４を表示する。メニュー表示５０４には、タイトル一覧表示から選択できる機能を表示する。
【００８１】
図５では例として、「部分削除」と「Ｍチャプタ設定」などのメニューを示しているが、これに限定するものではない。メニュー表示５０４で、「部分削除」の背景地色を変えて所謂ハイライト表示しているのは、現在「部分削除」のメニューが選択中であることを示している。
【００８２】
メニュー表示５０４内の各メニュー項目の選択は、例えばリモコン１２１の方向ボタン（例えば上下方向ボタン）により変更する。図５で、ユーザ操作によりサムネイル画像５０２で代表されるタイトルが選択され、メニュー表示５０４から「部分削除」のメニュー項目が選択されると、図６の部分削除画面に遷移する。
【００８３】
図６の部分削除画面に遷移すると、動画像制御部１０１は、サムネイル画像５０２で代表されるタイトルを動画像再生制御部１０８で再生し、再生した動画像を表示画面生成部１１０に取り込ませて、ＧＵＩ画面の動画像表示領域６０１に表示する。
【００８４】
また、ＧＵＩ画面の動画像表示領域６０１の下部には、選択されたタイトルで記録（録画）時に検出された所定属性（本実施例ではＣＭ属性とハイライト属性）に属する複数のチャプタを一括して容易にわかり易く表示するため、棒状の表示領域を有するインジケータ６０２を表示する。この時、棒状のインジケータ６０２は、現在の再生位置を示すカーソル表示６０３や、検出されたチャプタ属性に属する複数のチャプタを表示する。
【００８５】
さらに、ＧＵＩ画面の最下部には、インジケータ６０２において、チャプタ表示のチャプタ属性を切り替えるためのＣＭ属性のボタン表示６０４と、ハイライト属性のボタン表示６０５と、ＣＭ属性とハイライト属性の両方の属性のボタン表示６０６とを表示する。現在設定されているチャプタ属性のボタン表示には、非設定のものと区別するために、例えば所定色の〇印を付して示す。
【００８６】
なお、現在再生位置時間６０７は、現在再生位置を示すカーソル表示６０３に対応した再生時間を示し、現在再生中の位置を動画像データの先頭を０としたときの時間で示している。また、インジケータ６０２とボタン表示６０４，６０５，６０６との間には、現在の再生状態を一瞥でわかるように、現在の再生状態を示すマークあるいは文字で現在再生状態表示６０８を表示する。ここでは再生状態なので、再生マークを表示している。
【００８７】
ユーザ操作により、図６の画面に遷移したとき、動画像制御部１０１は、動画像表示領域６０１にはサムネイル画像５０２で代表されるタイトルの再生画像を表示し、チャプタ属性の初期設定として、本実施例では、ＣＭ属性に対応したボタン表示６０４を選択する。このとき、棒状のインジケータ６０２では、例えば図４の再生制御情報１１２で、チャプタ属性が「ＣＭ」で記録されているチャプタの位置に、例えば色をつけるなどして他の部分と区別し、選択された所定属性に属する複数のチャプタの位置を一瞥してわかるように表示する。ここでは、チャプタ属性としてＣＭ属性が設定されているので、インジケータ６０２では、ＣＭ属性に属する複数のチャプタの位置（図４の例では、ＣＰ４とＣＰ８とＣＰ１２）に色をつけて明示する。
【００８８】
このようにすれば、一瞥してＣＭのチャプタを識別することができる。なお、色を付けるという意味は、チャプタを囲う領域の枠やチャプタ領域の背景（地）に色をつけて他の部分と区別するという意味であり、他の部分と区別することができればこれに限定されるものではない。例えば模様を付けたり、背景の濃淡を変えて区別できるようにしてもよい。
【００８９】
ユーザがリモコン１２１のハイライト属性ボタン１３４を押下してハイライト属性のボタン表示６０５を選択した場合、図７の画面に遷移する。
【００９０】
図７の画面は図６とほぼ同じであるが、棒状のインジケータ６０２では、例えば図４の再生制御情報１１２で、チャプタ属性が「ハイライト」で記録されているチャプタの位置に、例えば色をつけるなどして他の部分と区別し、選択された所定属性に属する複数のチャプタの位置を一瞥してわかるように表示する。
【００９１】
ここでは、チャプタ属性としてハイライト属性が設定されているので、インジケータ６０２では、ハイライト属性に属する複数のチャプタの位置（図４の例では、ＣＰ２とＣＰ６とＣＰ１０）に色をつけて明示する。
【００９２】
なお、この時、ＣＭ属性のチャプタと識別できるように、ＣＭ属性の場合に使用する色とは異なるようにするのが望ましい。
【００９３】
また、ユーザがリモコン１２１の両属性ボタン１３５を押下して両属性のボタン表示６０６を選択した場合、図８の画面に遷移する。
【００９４】
図８の画面は図６とほぼ同じであるが、棒状のインジケータ６０２では、ＣＭ部分とハイライト部分の両方のチャプタ位置に、例えば色をつけるなどして表示する。なお、インジケータ６０２におけるＣＭ部分の色とハイライト部分の色は異なる色で表示することが望ましい。
【００９５】
なお、図７，図８で、ユーザがリモコン１２１のＣＭ属性ボタン１３３を押下すると、再び、図６の画面に遷移することはいうまでもない。
【００９６】
上記のように、本実施例によれば、チャプタ属性を切り替えるボタンを備え、チャプタ属性を切り替えて、棒状のインジケータ上に、指定属性に属するチャプタを表示するので、所望属性のチャプタを容易に一瞥して識別することができる。
【００９７】
部分削除を行う場合、まず、上記のようにして、部分削除対象のチャプタ属性のチャプタを表示させる。そして、ユーザは、操作入力部１２０の例えばリモコン１２１を用いて、再生画像を見ながらカーソル表示６０３を移動し、部分削除する開始点と終了点の位置を指定して、部分削除の範囲を選択する。
【００９８】
カーソル表示６０３は、例えばリモコン１２１の早戻しボタン１２８や早送りボタン１２９などで早戻しあるいは早送り再生して移動させ、再生画像を確認しながら所望のカーソル表示位置で決定ボタン１２３を押下することにより、開始点と終了点の位置をそれぞれ指定する。
【００９９】
なお、スキップボタン１３１，１３２でチャプタの先頭、すなわちシーンチェンジ位置に移動できることが望ましい。また、再生中にＣＭ部分を自動スキップする機能を備えている場合は、部分削除の操作画面では、自動スキップ機能を停止しておくことが望ましい。
【０１００】
図９は、図８の部分削除画面で、ＣＰ４のＣＭ属性のチャプタを削除対象とした場合の部分削除設定後の画面を示す図である。
【０１０１】
図９において、部分削除として選択した位置は、削除部分６０９のように、色をつけるなどして表示する。削除部分６０９は、ＣＭ部分の色とハイライト部分の色とは異なる色で表示することが望ましい。
【０１０２】
なお、上記では、部分削除する位置をカーソル表示６０３の移動により選択すると説明したが、これに限定されるものではなく、操作入力部１２０の図示しないボタン操作などにより、全てのＣＭ部分や全てのハイライト部分が自動選択されるようにしてもよい。
【０１０３】
このようにすれば、特定属性に属するチャプタ全てに所定の処理、例えばＣＭ属性の全てのチャプタに対して「部分削除処理」を行うことが可能となり、操作性が一段と向上する。
【０１０４】
以上の操作における、動画像制御部の動作を図１１，図１２を用いて説明する。図１１は図５のタイトル一覧表示画面から図６の部分削除操作画面表示までのフローを示す図で、図１２は図６，図７，図８，図９におけるチャプタ属性切替と部分削除操作のフローを示す図である。まず、図１１から説明する。
【０１０５】
図１１で、動画像制御部１０１は、図５のタイトル一覧表示画面において操作入力部１２０からタイトルを示すサムネイル画像の選択操作入力を受信すると、処理を開始する。処理を開始すると、動画像制御部１０１は、ステップ（以下、ステップを「Ｓ」と省略する）１１０１で、動画像再生制御部１０８，データ入出力制御部１０６を介してＨＤＤ部１０７に記録された管理情報２０１を読み出す。そして、選択されたサムネイル画像５０２で代表されるタイトルのタイトルＩＤを動画像再生制御部１０８に渡し、選択されたタイトルの再生を指示する（Ｓ１１０２）。
【０１０６】
動画像再生制御部１０８は、データ入出力制御部１０６を介して、ＨＤＤ部１０７に記録された管理情報２０１を読み込み、管理情報２０１において動画像制御部１０１より渡されたタイトルＩＤが付加された動画像データ１１１を読み出し、再生する。
【０１０７】
そして、動画像制御部１０１は、Ｓ１１０３で動画像再生制御部１０８が再生した画像を表示画面生成部１１０に送る。これを受けて、表示画面生成部１１０は、動画像表示領域６０１に、動画像再生制御部１０８で再生した動画像を表示する。
【０１０８】
また、動画像再生制御部１０８は、ＨＤＤ部１０７から再生中の動画像データ１１１に対応する再生制御情報１１２を読み出し、動画像制御部１０１へ渡す。動画像制御部１０１は、選択されたタイトルＩＤに対応した動画像データの再生制御情報を図示しないＲＡＭに格納する（Ｓ１１０４）。そして、初期設定として、例えば図６に示されるようにボタン表示６０４が選択される場合、動画像制御部１０１は、前記ＲＡＭに格納した再生制御情報１１２を用いて、属性がＣＭ（コマーシャル）で記録されているチャプタの開始時間と終了時間を表示画面生成部１１０に送る（Ｓ１１０５）。
【０１０９】
表示画面生成部１１０は、動画像制御部１０１から送られた開始時間と終了時間を元に、インジケータ６０２の対応する部分に色をつけて表示する。
【０１１０】
さらに、動画像制御部１０１は、Ｓ１１０６で、動画像再生制御部１０８から現在再生中の位置を取得し、表示画面生成部１１０に送る。この場合、動画像制御部１０１で再生位置は先頭を０としたときの時間に変換することが望ましい。表示画面生成部１１０は、受信した再生位置に対応した時間を現在再生位置時間６０７に表示する。
【０１１１】
そして、動画像制御部１０１は、部分削除操作画面表示の処理を終了する。
【０１１２】
次に、図１２のフローについて説明する。図１２において、動画像制御部１０１は、Ｓ１２０１で、操作入力部１２０から操作入力を受信すると、Ｓ１２０２で、決定ボタン１２３が操作されたかチェックする。
【０１１３】
Ｙｅｓであれば、Ｓ１２０３に進み、部分削除の開始点を指定する最初の決定ボタン操作かチェックする。Ｓ１２０３でＹｅｓであれば、つまり開始点を指定する最初の決定ボタン操作であれば、動画像再生制御部１０８から現在再生中の位置を取得し、図示しないＲＡＭに、削除部分の開始点位置情報として格納する。そして、Ｓ１２０１に戻る。
【０１１４】
また、Ｓ１２０３でＮｏであれば、つまり削除部分の終了点を指示する決定ボタン操作であれば、Ｓ１２０５に行く。Ｓ１２０５では、Ｓ１２０４と同様に、動画像再生制御部１０８から現在再生中の位置を取得し、図示しないＲＡＭに、削除部分の終了点位置情報として格納する。
【０１１５】
そして、Ｓ１２０６で、図示しないＲＡＭに格納した削除部分の開始点位置情報および終了点位置情報を表示画面生成部１１０へ送るとともに、再生制御情報としてＨＤＤ部１０７に記録する。表示画面生成部１１０は、動画像制御部１０１から受信した削除部分の開始点位置情報および終了点位置情報からインジケータ６０２の対応する部分に色をつけて表示する。そして、部分削除操作処理を終了する。
【０１１６】
これにより、同一タイトルの再生の際、部分削除が設定された部分を除いて再生することが可能となる。なお、上記では、部分削除が設定された部分を消去（削除）せず、残すようにしたが、消去するようにしてもよい。
【０１１７】
Ｓ１２０２でＮｏであれば、Ｓ１２０７に行き、動画像制御部１０１は、ＣＭ属性ボタン１３３が操作されたかチェックする。Ｓ１２０７でＹｅｓであれば、Ｓ１２０８で、図示しないＲＡＭに格納している再生制御情報に基づいて、例えば図６に示すように、ＣＭ属性に属する複数のチャプタの開始位置時間，終了位置時間とボタン表示６０４の設定情報を表示画面生成部１１０に送り、表示画面生成部１１０に、インジケータ６０２の対応する部分に所定色をつけて表示させるとともに、ボタン表示６０４の〇印に所定色を付けて表示させる。そして、Ｓ１２０１に戻る。
【０１１８】
Ｓ１２０７でＮｏであればＳ１２０９に行く。Ｓ１２０９では、動画像制御部１０１は、ハイライト属性ボタン１３４が操作されたかチェックする。Ｓ１２０９でＹｅｓであれば、Ｓ１２１０で、図示しないＲＡＭに格納している再生制御情報に基づいて、例えば図７に示すように、ハイライト属性に属する複数のチャプタの開始位置時間，終了位置時間とボタン表示６０５の設定情報を表示画面生成部１１０に送り、表示画面生成部１１０に、インジケータ６０２の対応する部分に色をつけて表示させるとともに、ボタン表示６０５の〇印に所定色を付けて表示させる。そして、Ｓ１２０１に戻る。
【０１１９】
Ｓ１２０９でＮｏであればＳ１２１１に行く。Ｓ１２１１では、動画像制御部１０１は、両属性ボタン１３５が操作されたかチェックする。Ｓ１２１１でＹｅｓであれば、Ｓ１２１２で、図示しないＲＡＭに格納している再生制御情報に基づいて、例えば図８に示すように、ＣＭ属性とハイライト属性に属する複数のチャプタの開始位置時間，終了位置時間とボタン表示６０６の設定情報を表示画面生成部１１０に送り、表示画面生成部１１０に、インジケータ６０２の対応する部分に色をつけて表示させるとともに、ボタン表示６０６の〇印に所定色を付けて表示させる。そして、Ｓ１２０１に戻る。
【０１２０】
また、Ｓ１２１１でＮｏであれば、Ｓ１２１３で該当ボタンの処理を行う。例えば、順方向のスキップボタン１３２が操作された場合には、現在再生位置の先にあるシーンチェンジ位置にスキップする。また、早送りボタン１２９が操作された場合には、早送り再生する。そして、Ｓ１２０１に戻る。
【０１２１】
以上述べたように、本実施例によれば、ＣＭ属性ボタン１３３，ハイライト属性ボタン１３４，両属性ボタン１３５などのチャプタ属性切替ボタンの操作によるチャプタ属性設定に応じて、インジケータ６０２の指定属性のチャプタ部分に色をつけて表示することにより、現在再生している部分が、コマーシャルなのかハイライトシーンなのかどうかを明示的に示すことができる。これにより、動画像の切り替わりをコマ送りなどで確認する必要がなくなり、使い勝手や操作性が向上する。
【０１２２】
なお、図６〜図９では現在再生位置時間６０７の時間表示を、動画像データの先頭を０としたときの相対時間で表示しているが、動画像データを録画した実時間の表示にしてもよい。
【０１２３】
また、属性を示すボタン表示は、ＣＭ，ハイライト，両方で切り替えると説明したが、これに限定するものではない。例えば、何も表示しないというボタンを操作入力部に配して、そのボタンが選択された場合はインジケータ６０２に何も色を付けないとしてもよい。
【０１２４】
また、図６〜図８では、本実施例の適用例として、部分削除機能における操作画面例を用いて示したが、これに限定されるものではなく、他の機能において、インジケータ表示を切り替える機能を有してもよい。
【０１２５】
以上では、チャプタ境界となる属性に応じたシーンチェンジを、シーンチェンジ検出部を用いて検出したが、一部の属性に対しては、操作入力部１２０を介してのユーザ入力操作によりシーンチェンジを設定してもよい。
【０１２６】
図５のメニュー表示５０４のメニュー項目「Ｍチャプタ設定」はそのためのものである。メニュー項目「Ｍチャプタ設定」は、ＨＤＤ部１０７に記録後、ユーザによるマニュアル操作でチャプタ設定を行うマニュアルチャプタ設定機能を指す。
【０１２７】
例えば、図５で、ユーザ操作によりサムネイル画像５０２で代表されるタイトルが選択され、メニュー表示５０４から「Ｍチャプタ設定」のメニュー項目が選択されると、Ｍチャプタ設定モードに移行する。すなわち、画面の動画像表示領域６０１に再生画像を表示し、インジケータ６０２にカーソル表示６０３とマニュアル設定されたチャプタ境界を表示する。またカーソル表示位置における現在再生位置時間も表示する。
【０１２８】
そして、ユーザは、再生画像を見ながらカーソル表示６０３を例えばリモコン１２１の早送りボタン１２９などで早送り再生して移動させ、シーンチェンジが認められる位置で決定ボタン１２３を押下することにより、チャプタ境界を設定する。チャプタ境界は、設定の都度インジケータ６０２上に追加表示される。このようにして、チャプタのマニュアル設定がなされる。
【０１２９】
勿論、詳細には述べないが、シーンチェンジ検出部によるシーンチェンジ検出をユーザ操作によって修正するようにしてもよいことはいうまでもない。
【実施例２】
【０１３０】
実施例１では、ＨＤＤ部に記録（録画）する際、シーンチェンジ検出部で所定属性に応じたシーンチェンジを自動的に検出し、チャプタに区分するようにしたが、本発明はこれに限定されるものではない。例えば、属性によっては、シーンチェンジの検出に時間を要する場合も有りえる。
【０１３１】
このような場合、例えばリアルタイムに商用放送を記録（録画）する際に、シーンチェンジ検出を適用するには無理が生じる。そのシーンチェンジの検出に時間を要する属性検出の場合には、記録（録画）後、シーンチェンジの検出を行うのが望ましい。
【０１３２】
以下では、記録（録画）後に、オートチャプタ設定モードの下で、シーンチェンジの検出を行うようにした実施例２について説明する。
【０１３３】
図１３は、実施例２による記録再生装置の一ブロック構成図である。図１３において、図１と共通な機能を有する要素には同一な符号を付して示し、その重複する説明を省略する。また、実施例２の記録再生装置において、実施例１とは、オートチャプタ設定モード下におけるシーンチェンジ検出動作のみが異なる。従って、以下ではオートチャプタ設定モード下におけるシーンチェンジ検出動作のみに着目して説明する。また、実施例２におけるシーンチェンジ検出動作で、実施例１と異なる要素については、その符号に'を添えて示す。
【０１３４】
図１３で、ＨＤＤ部１０７は、動画像制御部１０１'の制御の下で、シーンチェンジ検出時、シーンチェンジ検出を短時間で行うため、通常速度とは異なる高速で指定されたタイトルの読み出しを行う。
【０１３５】
動画像再生制御部１０８'は、オートチャプタ設定モード時、ＨＤＤ部１０７で高速に読み出された動画像データを高速再生し、その再生した動画像をシーンチェンジ検出部１１５'に供給する。また、動画像制御部１０１'からの要求に応じて現在再生位置を返信する。その他は実施例１に同じである。
【０１３６】
シーンチェンジ検出部１１５'は、動画像制御部１０１'の制御の下で、ＨＤＤ部１０７に記録（録画）された動画像データの動画像再生制御部１０８'による高速再生の際、動画像再生制御部１０８'から供給される動画像からシーンチェンジを検出する。
【０１３７】
シーンチェンジ検出部１１５'は、シーンチェンジを検出すると、シーンチェンジ検出情報とその検出属性を、バスライン１１９を介して動画像制御部１０１'に送出する。
【０１３８】
動画像制御部１０１'は、予めオートチャプタ設定モードにおける再生開始時に、記録（録画）時にＨＤＤ部１０７に記録された管理情報を読み出し、再生タイトルＩＤに対応した再生制御情報を図示しないＲＡＭに格納しておく。なお、この際の再生制御情報には、シーンチェンジ検出がなされてないので、チャプタは一つしかない。
【０１３９】
そして、動画像制御部１０１'は、シーンチェンジ検出部１１５'からのシーンチェンジ検出を受けて、動画像再生制御部１０８に、現在再生位置情報を問い合わせ、動画像再生制御部１０８'から戻ってきた現在再生位置情報をシーンチェンジが生じたシーンチェンジ位置情報とする。そして、シーンチェンジが生じる毎に、図示しないＲＡＭに予め格納しておいた再生制御情報に、現在再生しているタイトルＩＤに対応させて、シーンチェンジ位置情報と、その属性と、生じたシーンチェンジで分割された新たなチャプタ番号とを追記して格納する。
【０１４０】
なお、動画像制御部１０１'は、シーンチェンジ検出部１１５'でシーンチェンジらしい個所が見つかり、さらに詳細な分析が必要と見なされる場合には、その部分ではＨＤＤ部１０７と動画像再生制御部１０８'を通常再生速度に戻し、そして再生位置を少し前に戻して再生し、シーンチェンジ検出を行うようにしてもよい。勿論、その個所のシーンチェンジ検出が終了すると、再び、高速再生を行う。
【０１４１】
高速再生が終了すると、動画像制御部１０１'は、ＲＡＭに格納されたタイトルＩＤと更新された再生制御情報とを管理情報として動画像記録制御部１０５に送出し、動画像記録制御部１０５はこれを受けて、ＨＤＤ部１０７に記録する。
【０１４２】
次に図１４〜図１７を用いて、本実施例による記録再生装置における一表示画面について説明する。図１４は本実施例によるＨＤＤ部に記録された動画像データのタイトルの一覧表示画面、図１５はシーンチェンジ検出属性設定メニュー表示画面で「オートチャプタ設定」を選択した場合のメニュー画面である。また、図１６，図１７は図１５で選択した属性のシーンチェンジを検出する場合の画面遷移を示している。図１４〜図１７の画面は、いずれも表示画面生成部１１０で生成し、表示出力制御部１０３を介して表示装置１０４に出力する画面である。
【０１４３】
図１４は、図５とほぼ同じであり、メニュー表示１４０１に「オートチャプタ設定」というメニューを追加している。図１４において、図５と共通な機能を有する要素には同一な符号を付して示し、その重複する説明を省略する。図１４でユーザ操作により、メニュー表示１４０１の「オートチャプタ設定」が選択されると、図１５のチャプタ属性選択のメニュー画面に遷移する。
【０１４４】
図１５の画面ではシーンチェンジ検出属性設定のメニュー表示１５０１が表示される。メニュー表示１５０１内のメニュー項目は、チャプタに区分するシーンチェンジを検出する際の属性（シーンチェンジ検出属性）である。ここでは、例として「コマーシャル」，「ハイライト」の２つの属性を表示している。しかし、これに限定されるものではない。
【０１４５】
メニュー表示１５０１内の各メニュー項目の選択は、例えばリモコン１２１の方向ボタン（例えば上下方向ボタン）により行う。ユーザ操作によりメニュー表示１５０１の「コマーシャル」属性が選択されると、図１６の画面に遷移する。
【０１４６】
図１６の画面に遷移すると、動画像制御部１０１'は、図１４で選択されたタイトルに対して、図１５で選択された属性（コマーシャル）のシーンチェンジ検出を行う。
【０１４７】
すなわち、ＨＤＤ部１０７，動画像再生制御部１０８'を介して指定タイトルの動画像の高速再生を行い、シーンチェンジ検出部１１５'により指定属性のシーンチェンジを検出して、例えば図４に示すような、シーンチェンジ位置情報と、隣り合うシーンチェンジ位置で区切られたチャプタ情報と、該チャプタの属性情報とからなる再生制御情報を取得する。
【０１４８】
この場合、動画像表示領域６０１には「検出中」という文字を表示し、画面下部にはシーンチェンジ検出の属性を表示する。ここでは属性はＣＭ１６０４である。
【０１４９】
なお、動画像表示領域６０１には文字ではなく、シーンチェンジ検出する動画像の早送り画像を表示してもよい。
【０１５０】
また、このときシーンチェンジ検出の進捗度を表示することが望ましい。図１６では、プログレスバー１６０２を用いて、シーンチェンジの進捗度を色付部分１６０２ａにより示している。なお、プログレスバー１６０２ではなく、百分率の数値で表示してもよい。シーンチェンジ検出が完了すると、図１７の画面に遷移する。
【０１５１】
図１７に遷移したとき、動画像制御部１０１'は、表示画面生成部１１０を介して動画像表示領域６０１にタイトルの先頭画像を一時停止状態で表示する。そして、現在の再生位置を示すカーソル表示６０７、現在再生位置時間６０７は動画像の先頭とし、現在再生状態表示６０８として一時停止状態を示すマークを表示する。
【０１５２】
このとき、インジケータ６０２には、図１５で選択した属性（コマーシャル）に属する複数のチャプタを、色付けした棒状の表示領域で示す。また、これに対応して画面下部に属性のＣＭ１６０４を表示する。これにより、ユーザは、区分されたＣＭチャプタを一瞥して識別することができる。
【０１５３】
同様に、ハイライト属性を選択して、ハイライト属性でシーンチェンジ検出を行い、図４に示すような再生制御情報を取得することができる。
【０１５４】
以降は、実施例１と同様に、チャプタ属性を切り替えるボタンを備え、チャプタ属性を切り替えて、棒状のインジケータ上に、指定属性に属するチャプタを表示するので、所望属性のチャプタを容易に一瞥して識別することができ、使い勝手がよい。
【０１５５】
以上述べたようにして、本実施例によれば、記録（録画）後、シーンチェンジ検出を行うようにすることにより、チャプタ区分を属性に応じて精度よく行うことができる。
【０１５６】
なお、実施例１においては、記録（録画）する際にシーンチェンジ検出を行い、実施例２においては、記録（録画）後にシーンチェンジ検出を行うようにしたが、本発明はこれに限定されるものではない。複数の属性のうち、短時間にシーンチェンジを検出できる属性（例えばＣＭ属性）は、記録（録画）する際にシーンチェンジ検出を行い、シーンチェンジ検出に時間を要する属性（例えばハイライト属性）は、記録（録画）後に行うようにしてもよい。すなわち、属性に応じて、シーンチェンジ検出を記録時に行うか、或いは記録後に行うかを切り替えるようにしてもよい。
【０１５７】
これは、実施例１と実施例２を組み合せれば容易に実現でき、これ以上の詳細な説明を省略する。
【図面の簡単な説明】
【０１５８】
【図１】実施例１による記録再生装置の一ブロック構成図。
【図２】実施例１による動画像データと再生制御情報を対応付けて記録するための管理情報を示す図。
【図３】実施例１によるＨＤＤ部に記録する１タイトル分の動画像データの模式構成図。
【図４】実施例１による再生制御情報の構成を示す図。
【図５】実施例１によるＨＤＤ部に記録された動画像データのタイトルの一覧表示画面。
【図６】実施例１によるＣＭ属性における部分削除操作画面。
【図７】実施例１によるハイライト属性における部分削除操作画面。
【図８】実施例１による両属性における部分削除操作画面。
【図９】実施例１による部分削除設定後の画面を示す図。
【図１０】実施例１に係わる操作入力部を構成するリモコンの主要な一キー構成図。
【図１１】図５のタイトル一覧表示画面から図６の部分削除操作画面表示までのフローを示す図。
【図１２】チャプタ属性切替と部分削除操作のフローを示す図。
【図１３】実施例２による記録再生装置の一ブロック構成図。
【図１４】実施例２によるＨＤＤ部に記録された動画像データのタイトルの一覧表示画面。
【図１５】実施例２によるシーンチェンジ検出属性設定メニュー表示画面。
【図１６】実施例２によるシーンチェンジ検出処理中の表示画面。
【図１７】実施例２によるシーンチェンジ検出処理終了時の表示画面。
【図１８】実施例１によるシーンチェンジ検出処理のフロー図。
【符号の説明】
【０１５９】
１０１  動画像制御部、１０２  チューナ部、１０３  表示出力制御部、１０４  表示装置、１０５  動画像記録制御部、１０６  データ入出力制御部、１０７  ＨＤＤ部、１０８  動画像再生制御部、１１０  表示画面生成部、１１１  動画像データ、１１２  再生制御情報、１１５  シーンチェンジ検出部、１２０  操作入力部、１２１  リモコン、１２２  方向ボタン、１２３  決定ボタン、１２４  ストップボタン、１２５  再生ボタン、１２６  記録ボタン、１２７  ポーズボタン、１２８  早戻しボタン、１２９  早送りボタン、１３０  メニューボタン、１３１  スキップボタン、１３２  スキップボタン、１３３  ＣＭ属性ボタン、１３４  ハイライト属性ボタン、１３５  両属性ボタン、２０１  管理情報、３０１〜３０６  シーン、３０７〜３１８  シーンチェンジ位置、５０１  サムネイル表示部、５０２  タイトル、５０３  メニューボタン表示、５０４  メニュー表示、６０１  動画像表示領域、６０２  インジケータ、６０３  カーソル表示、６０４〜６０６  ボタン表示、６０７  現在再生位置時間、６０８  現在再生状態表示、６０９  削除部分、１４０１，１５０１  メニュー表示、１６０２  プログレスバー、１６０４  ＣＭ、
【図１】
2007142785.tif 000003
【図２】
2007142785.tif 000004
【図３】
2007142785.tif 000005
【図４】
2007142785.tif 000006
【図５】
2007142785.tif 000007
【図６】
2007142785.tif 000008
【図７】
2007142785.tif 000009
【図８】
2007142785.tif 000010
【図９】
2007142785.tif 000011
【図１０】
2007142785.tif 000012
【図１１】
2007142785.tif 000013
【図１２】
2007142785.tif 000014
【図１３】
2007142785.tif 000015
【図１４】
2007142785.tif 000016
【図１５】
2007142785.tif 000017
【図１６】
2007142785.tif 000018
【図１７】
2007142785.tif 000019
【図１８】
2007142785.tif 000020